(57)【要約】【課題】  簡単な器具により、被治療者が自身で整体を行うことができるようにすることである。【解決手段】  保持板Ｄ1 を構成する上台座部９に設けられた保持孔１４に第１整体球Ｂ1 を嵌め込むと共に、前記保持孔１４の近傍で、平面視において略「ハ」の字状に形成された一対の保持溝Ｃ1 に、それぞれ１個の第２整体球Ｂ2 を移動可能にして嵌め込み、前記３個の整体球Ｂ1,Ｂ2 を人体Ｍにおける尾骨５と一対の座骨６に対応して略三角形状に配置し、各整体球Ｂ1,Ｂ2 の弾性変形力で前記尾骨５と前記一対の座骨６を押圧させることにより、人体Ｍにおける骨盤Ｋのずれを矯正する。【選択図】        図１
0003106889.tif 000002
【実用新案登録請求の範囲】
【請求項１】
人体の特定の部位を押し付けることにより、人体に対して押圧力を作用させる整体球と、前記整体球の一部を保持溝に部分収容して、前記整体球の位置を定めるための保持板とを備えたことを特徴とする整体器具。
【請求項２】
前記整体球は、弾性変形可能であることを特徴とする請求項１に記載の整体器具。
【請求項３】
人体の整体部位に対応して間隔が調整可能な少なくとも２個の整体球を備えていることを特徴とする請求項１に記載の整体器具。
【請求項４】
２個の整体球は、延長線上で交差する２本の保持溝にそれぞれ部分収容されて、各保持溝に沿って整体球を移動させることにより、前記２個の整体球の間隔が調整可能であることを特徴とする請求項３に記載の整体器具。
【請求項５】
延長線上で交差する２本の保持溝の延長交差点近傍には、整体球が固定状態で配置されていて、前記延長交差点近傍に固定配置された整体球と、前記各保持溝に可動配置された２個の整体球との計３個の整体球を備えていることを特徴とする請求項４に記載の整体器具。
【請求項６】
前記保持板には、３個の整体球に顔面を押し付けた場合に、鼻等の突出部が干渉するのを防止する凹部が形成されていることを特徴とする請求項５に記載の整体器具。
【請求項７】
２個の整体球は、同一直線上に位置する保持溝に移動可能に部分収容されて、２個の整体球の間隔が調整可能であることを特徴とする請求項３に記載の整体器具。
【請求項８】
前記保持溝は、連続した略コの字状をしていて、少なくとも２個の整体球が前記保持溝の各コーナー部を超えて移動可能なように部分収容されていることを特徴とする請求項１に記載の整体器具。
【考案の詳細な説明】
【技術分野】
【０００１】
本考案は、人体の特定の部位を押し付けることにより、人体に対して押圧力を作用させる整体球と、前記整体球の一部を保持溝に部分収容して、前記整体球の位置を定めるための保持板とを備えた整体器具に関するものである。整体とは、ずれた骨格を本来の位置に戻して、人体が有する自然治癒力を高めることをいう。
【背景技術】
【０００２】
図２２に示されるように、人体Ｍの上半身と下半身とは、骨盤Ｋによって連結されている。骨盤Ｋは、脊柱１が取付けられた仙骨２と腸骨３とから構成されている。前記仙骨２と前記腸骨３とは、仙骨関節４により可動状態で連結されている。仙骨２の下部には尾骨５が突出されていると共に、腸骨３の下部には一対の座骨６が突出されている。なお、図２２において、７は恥骨であり、８は大腿骨である。
【０００３】
老化に伴う筋肉の衰え、日常生活における姿勢の不良、運動不足や過度の運動、或いは外傷等により、前記骨盤Ｋにおいて仙骨２がずれる場合がある。その状態を、図２２において二点鎖線で示す。前述した脊柱１には知覚や反射運動等を司るための脊髄（図示せず）が通っていて、仙骨２がずれることにより前記脊髄が圧迫され、腰痛等の原因となる。これを防止すべく整体が行われているが、整体は専門家によって行われているため通院が必要であり、被治療者が自宅において整体を行うことは困難である。
【考案の開示】
【考案が解決しようとする課題】
【０００４】
本考案は、上記した不具合に鑑み、被治療者が自宅において整体を行うことができるようにすることを課題としている。
【課題を解決するための手段】
【０００５】
上記課題を解決するための請求項１の考案は、人体の特定の部位を押し付けることにより、人体に対して押圧力を作用させる整体球と、前記整体球の一部を保持溝に部分収容して、前記整体球の位置を定めるための保持板とを備えたことを特徴としている。
【０００６】
人体の特定の部位に整体球が押し付けられ、前記特定の部位に押圧力が作用するため、ずれた骨格が本来の位置に戻される。これにより、人体が有する自然治癒力が高められ、人体の異常が治癒される。
【０００７】
請求項２の考案は、請求項１の考案を前提として、前記整体球は、弾性変形可能であることを特徴としている。整体球が弾性変形することにより、人体の特定の部位に対する押圧力が断続的に作用され、整体の効果が高められる。
【０００８】
請求項３の考案は、請求項１の考案を前提として、人体の整体部位に対応して間隔が調整可能な少なくとも２個の整体球を備えていることを特徴としている。これにより、人体の整体部位に対応して、各整体球を最適な配置として整体を行うことができる。
【０００９】
請求項４の考案は、請求項３の考案を前提として、２個の整体球は、延長線上で交差する２本の保持溝にそれぞれ部分収容されて、各保持溝に沿って整体球を移動させることにより、前記２個の整体球の間隔が調整可能であることを特徴としている。保持溝に部分収容された各整体球を移動させるだけで間隔を調整することができ、人体の整体部位に対する配置の調整が容易である。
【００１０】
請求項５の考案は、請求項４の考案を前提として、延長線上で交差する２本の保持溝の延長交差点近傍には、整体球が固定状態で配置されていて、前記延長交差点近傍に固定配置された整体球と、前記各保持溝に可動配置された２個の整体球との計３個の整体球を備えていることを特徴としている。３個の整体球が、平面視において略三角形状に配置されていて、しかも、可動配置された２個の整体球を移動させることにより、各整体球の配置を変更できるため、人体におけるより多くの整体部位を整体することができる。
【００１１】
請求項６の考案は、請求項５の考案を前提として、前記保持板には、３個の整体球に顔面を押し付けた場合に、鼻等の突出部が干渉するのを防止する凹部が形成されていることを特徴としている。これにより、顔面のように、突出物を有する部位を整体球に押し付けても、前記突出物が保持板と干渉することはない。
【００１２】
請求項７の考案は、請求項３の考案を前提として、２個の整体球は、同一直線上に位置する保持溝に移動可能に部分収容されて、２個の整体球の間隔が調整可能であることを特徴としている。これにより、２個の整体球の間隔を自在に調整でき、各整体球を接近させて使用することも、離隔させて使用することもできる。
【００１３】
請求項８の考案は、請求項１の考案を前提として、前記保持溝は、連続した略コの字状をしていて、少なくとも２個の整体球が前記保持溝の各コーナー部を超えて移動可能なように部分収容されていることを特徴としている。これにより、単一の整体器具であっても、各整体球を平面視における略三角形状に配置することと、直線状に配置することの両方を実現させることができる。
【考案の効果】
【００１４】
本考案は、人体の特定の部位を押し付けることにより、人体に対して押圧力を作用させる整体球と、前記整体球の一部を保持溝に部分収容して、前記整体球の位置を定めるための保持板とを備えている。このため、人体の特定の部位に整体球が押し付けられ、前記特定の部位に押圧力が作用して、ずれた骨格が本来の位置に戻される。これにより、人体が有する自然治癒力が高められ、人体の異常が治癒される。
【考案を実施するための最良の形態】
【００１５】
以下、本考案の最良実施例を挙げて、本考案を更に詳細に説明する。図１は各整体球Ｂ1,Ｂ2 を分離させた第１実施例の整体器具Ａ1 の全体斜視図、図２は整体器具Ａ1 の平面図、図３は図２のＸ−Ｘ線断面図、図４は整体器具Ａ1 の分解斜視図である。
【実施例１】
【００１６】
最初に、本考案の第１実施例の整体器具Ａ1 の全体構成について説明する。図１ないし図４に示されるように、第１実施例の整体器具Ａ1 は、木材より成る保持板Ｄ1 と、該保持板Ｄ1 に着脱自在に保持される弾性変形可能な３個の整体球（１個の第１整体球Ｂ1 と２個の第２整体球Ｂ2)とから構成されている。第１実施例の整体器具Ａ1 を構成する保持板Ｄ1 は、上下の各台座部９，１１より成る。各台座部９，１１の外周縁形状はほぼ同一であり、両者は下台座部１１の底面側から挿通された木ねじ１２（図４参照）によって一体に重ね合せられている。各台座部９，１１の前部（図３の図面視における下部）は直線状となっていると共に、後部（同じく上部）は略半円状となっている。なお、図４において、１３は、下台座部１１に設けられたねじ挿通孔である。
【００１７】
前記保持板Ｄ1 の上台座部９における左右方向のほぼ中央部の後ろ寄りの部分には、第１整体球Ｂ1 を嵌め込んで保持するための保持孔１４が設けられている。前記保持孔１４の内径は、第１整体球Ｂ1 の外径よりも少し小さい。また、保持孔１４における上側の外周縁部は、第１整体球Ｂ1 が保持孔１４に確実に固定状態で保持されるように全周に亘って僅かに斜めに切除されていて傾斜縁部１４ａとなっている。また、上台座部９の前部９ａは、手前側に緩やかに傾斜するように切除されていると共に、外周縁部９ｂも僅かに斜めに切除されていて、人体Ｍに対する逃し部となっている。
【００１８】
前記上台座部９において、保持孔１４の前方の部分には、左右の斜め方向に沿って一対の保持溝Ｃ1 が、平面視において略「ハ」の字状に設けられている。そして、一対の保持溝Ｃ1 の溝形成方向を延長させた交差点の近傍に、前述した保持孔１４が形成されている。各保持溝Ｃ1 の構成は同一なので、図２の図面視における右側の保持溝Ｃ1 についてのみ説明する。図１ないし図４に示されるように、保持溝Ｃ1 は、断面視において段付き状であり、保持孔１４の外径とほぼ同一の溝幅を有する上溝部１５と、該上溝部１５よりも大きな溝幅を有する下溝部１６とから構成されている。保持溝Ｃ1 において、上下の各溝部１５，１６における溝形成方向の心間距離Ｌ1 は同一である。また、第１実施例の整体器具Ａ1 の場合、前記心間距離Ｌ1 は、第２整体球Ｂ2 の外径よりも少し大きい。そして、上溝部１５の周縁部には、前述した保持孔１４と同様に、傾斜縁部１５ａが設けられている。
【００１９】
前記下溝部１６には、保持溝Ｃ1 に嵌め込まれて部分収容された第２整体球Ｂ2 が、該保持溝Ｃ1 内でずれることを防止するための短円筒状の可動リング体１７が収容されている。可動リング体１７の内径は上溝部１５の溝幅とほぼ同一であり、外径は下溝部１６の溝幅よりも僅かに小さい。また、可動リング体１７の厚みは、下溝部１６の溝深さ（下台座部１１の底面部から段付部１６ａまでの高さ）よりも少し薄い。このため、可動リング体１７は、保持溝Ｃ1 から抜け出ることなく、その溝形成方向に沿って保持溝Ｃ1 の心間距離Ｌ1 の長さ分だけ移動可能である。
【００２０】
一対の保持溝Ｃ1 における可動リング体１７の部分には、それぞれ第２整体球Ｂ2 が嵌め込まれて部分収容される。そして、第２整体球Ｂ2 の両側部が、対応する上溝部１５の傾斜縁部１５ａに当接すると共に、下端部が可動リング体１７に嵌まり込み、下１１に当接する。各第２整体球Ｂ2 は、可動リング体１７と一体になって保持溝Ｃ1 内を移動可能である。もし、各第２整体球Ｂ2 を単独で移動させようとすると、それらの下端部が、対応する可動リング体１７を乗り越えなければならない。しかし、整体器具Ａ1 の使用状態においては、各第２整体球Ｂ2 は人体Ｍによって押圧されているため、各第２整体球Ｂ2 が可動リング体１７を乗り越えることは困難である。これにより、各台座部９，１１に対する各第２整体球Ｂ2 の嵌込み位置が定められる。
【００２１】
上記した結果、上台座部９の保持孔１４に嵌め込まれた第１整体球Ｂ1 と、一対の保持溝Ｃ1 に嵌め込まれた２個の第２整体球Ｂ2 は、平面視において略三角形状に配置される。そして、各整体球Ｂ1,Ｂ2 の配置は、各第２整体球Ｂ2 を、対応する可動リング体１７と一体にして移動させることにより、容易に変更可能である。後述するように、被治療者の尾骨５と一対の座骨６の部分が、対応する各整体球Ｂ1,Ｂ2 に当てがわれる。ここで、被治療者の性別、体型等により、尾骨５及び一対の座骨６の位置は異なっている。しかし、一対の保持溝Ｃ1 における各第２整体球Ｂ2 の嵌込み位置を変更させることにより、各整体球Ｂ1,Ｂ2 の配置を被治療者に対して最適なものにすることができる。
【００２２】
次に、第１実施例の整体器具Ａ1 の作用について説明する。図５及び図６に示されるように、椅子１８の座部１９に整体器具Ａ1 が設置されている。第１及び第２の各整体球Ｂ1,Ｂ2 の配置は、予め被治療者の体型に合わせて最適なものに調整されている。被治療者が椅子１８に腰掛けたとき、被治療者の尾骨５の部分が第１整体球Ｂ1 の直上に配置され、一対の座骨６の部分が対応する一対の第２整体球Ｂ2 の直上に配置される。そして、被治療者の体重により、各整体球Ｂ1,Ｂ2 が押圧され、弾性変形する。この状態で被治療者が自身の腰部を揺らすと、尾骨５と一対の座骨６は、対応する各整体球Ｂ1,Ｂ2 の弾性変形力を受けて押圧される。この作用が繰り返されることにより、骨盤Ｋのずれが徐々に矯正される。各整体球Ｂ1,Ｂ2 は、保持孔１４又は各保持溝Ｃ1 の可動リング体１７に嵌まり込んでいるため、被治療者が腰部を揺らしても抜け出るおそれはない。なお、被治療者が意図的に自身の腰部を揺らすことにより、骨盤Ｋのずれが矯正される効果が大きくなることはもちろんであるが、被治療者が単に椅子１８に腰掛けているだけであっても、各整体球Ｂ1,Ｂ2 によって尾骨５と一対の座骨６が押圧されるため骨盤Ｋのずれが矯正される。これは、被治療者が本考案の整体器具Ａ1 に腰掛けるだけで骨盤Ｋのずれの矯正の効果が奏されることを意味している。
【００２３】
そして、被治療者が腰部を揺らすことにより、特に男性においては、同時に前立腺の部分が刺激され、前立腺肥大症の防止の効果が奏される。また、特に女性においては、臀部の筋肉（肛門括約筋）が刺激され、便秘が解消されるという効果が奏される。
【００２４】
次に、図７及び図８を参照しながら、第１実施例の整体器具Ａ1 を仰臥姿勢の人体Ｍに使用する場合について説明する。図７の（イ）は、整体器具Ａ1 を被治療者の首と肩の部分に配置した場合である。即ち、図８に示されるように、第１整体球Ｂ1 を首における脊柱１の部分に当てがい、一対の第２整体球Ｂ2 を肩の部分に当てがって、首の部分を揺らす。これにより、首の部分と肩の部分の硬直した筋肉（頭半棘筋２１、僧帽筋２２）が軟化して当該部分の凝りがほぐれると共に、各筋肉が鍛練される。また、図７の（ロ）は、整体器具Ａ1 を被治療者の背中の部分に配置した場合である。即ち、図８に示されるように、第１整体球Ｂ1 を背中における脊柱１の部分に当てがい、一対の第２整体球Ｂ2 を背中の両側の部分に当てがって、背中の部分を揺らす。これにより、脊柱１のわん曲部分１ａの過度の曲げ状態が矯正され、それに伴う腰痛が防止される。そして、図７の（ハ）は、整体器具Ａ1 を被治療者の腰部に配置した場合である。即ち、図８に示されるように、第１整体球Ｂ1 を仙骨２の直上の脊柱１の部分に当てがい、一対の第２整体球Ｂ2 を腸骨３の部分に当てがって、腰部を揺らす。これにより、骨盤Ｋのずれが矯正され、腰痛が防止される。
【００２５】
次に、図９及び図１０を参照しながら、第１実施例の整体器具Ａ1 を伏臥姿勢の人体Ｍに使用する場合について説明する。図９の（イ）は、整体器具Ａ1 を被治療者の顔の部分に配置した場合である。即ち、図９の（ロ）に示されるように、第１整体球Ｂ1 を目と目との間に当てがい、一対の第２整体球Ｂ2 を頬の部分に当てがって、頭部を揺らす。これにより、顔面の筋肉（表情筋）が刺激され、しわを除去する効果が奏されると共に、前記表情筋が弛緩されることによって豊かな表情が作り出される。また、顔面神経が弛緩され、皮膚の老化が防止される。なお、整体器具Ａ1 を顔の部分に当てがう場合、保持板Ｄ1 をゴム材、スポンジ材等の軟質材で構成することが望ましいと共に、被治療者の鼻の部分（突出部）が押し付けられる部分に、逃し部２３を設けておくことが望ましい。これにより、各整体球Ｂ1,Ｂ2 だけでなく保持板Ｄ1 も弾性変形し、両者の弾性変形の相乗効果により、整体部位が効率的に押圧される。
【００２６】
また、図１０の（イ）,(ロ）に示されるように、整体器具Ａ1 を被治療者の腹部に配置させて、腹部を揺らしてもよい。これにより、腹部の筋肉や内臓（大腸２４、小腸２５）が刺激され、当該部分のぜい肉が除去されて肥満が防止されると共に、整腸効果が奏されて便秘が解消される。
【００２７】
次に、図１１及び図１２を参照しながら、第１実施例の整体器具Ａ1 を足に使用する場合について説明する。図１０の（イ）,(ロ）に示されるように、被治療者は自身の足を第１整体球Ｂ1 といずれかの第２整体球Ｂ2 に当てがい、足の裏面部を各整体球Ｂ1,Ｂ2 に押し付ける。このとき、足の裏面部に存するツボが刺激され、足の血液の循環を良好にさせる。
【００２８】
また、図１２の（イ）に示されるように、両足を一対の第２整体球Ｂ2 に当てがい、両足のくぼみ部分（土踏まずの部分）を刺激してもよい。更に、図１２の（ロ）に示されるように、被治療者が足の指で整体球Ｂ2 をつまみ上げたり離したりしてもよい。これにより、足先の血行が促進されると共に、足の指が変形することが防止される。
【００２９】
上記した各使用態様は、整体器具Ａ1 を単独で使用する場合である。しかし、図１３の（イ）に示されるように、椅子１８の座部１９に、各整体球Ｂ1,Ｂ2 を突出させた状態で整体器具Ａ1 を組み込んでもよい。また、図１３の（ロ）に示されるように、枕２６に組み込んでもよい。これにより、被治療者は、いちいち整体器具Ａ1 を設置することなく無意識のまま治療を行うことができる。
【００３０】
上記した各使用態様では、保持板Ｄ1 に３個の整体球Ｂ1,Ｂ2 を配置させた場合である。しかし、例えば、図１４に示されるように、保持孔１４に１個の第１整体球Ｂ1 を嵌め込み、一対の保持溝Ｃ1 にそれぞれ２個の第２整体球Ｂ2 を嵌め込んで、全部で５個の整体球Ｂ1,Ｂ2 を配置させても構わない。この場合、人体Ｍにおける広い部位を一度に押圧できるという利点がある。
【００３１】
上記した第１本実施例の整体器具Ａ1 における第１及び第２の各整体球Ｂ1,Ｂ2 は、例えば軟式テニスボールである。各整体球Ｂ1,Ｂ2 は、保持板Ｄ1 から着脱自在であるため、これらの一部或いは全部を、硬式テニスボール又は弾性変形しない球（例えば、ゴルフボール）に交換することができる。また、各整体球Ｂ1,Ｂ2 が、対応する保持孔１４及び保持溝Ｃ1 に嵌まり込んで保持されることを条件として、硬さ、大きさ（外径）、或いは形状を変化させることができる。これにより、人体Ｍにおける整体部位に応じて各整体球Ｂ1,Ｂ2 の押圧度合を変化させることができる。例えば、整体の初期段階で、押圧することによって痛みを伴う場合には軟らかい整体球Ｂ1,Ｂ2 を使用し、痛みが減少するのに伴って硬い整体球Ｂ1,Ｂ2 に変えていくという方法も可能である。また、押圧する部位に応じて、軟らかい整体球Ｂ1,Ｂ2 と硬い整体球Ｂ1,Ｂ2 を混在させて使用したり、異なる大きさの整体球Ｂ1,Ｂ2 を混在させて使用することも可能である。図１５に、第１整体球Ｂ1 と第２整体球Ｂ2 の大きさを異ならせた実施例の整体器具Ａ1 を示す。
【実施例２】
【００３２】
次に、第２実施例の整体器具Ａ2 について説明する。本実施例の整体器具Ａ2 は、図１６に示されるように、平面視において長方形状の保持板Ｄ2 に、一直線状にして２本の保持溝Ｃ2 が設けられていて、各保持溝Ｃ2 にそれぞれ可動リング体１７が嵌め込まれている。各保持溝Ｃ2 に部分収容され、対応する可動リング体１７に保持された整体球Ｂ3 を接近させたり、離隔させたりすることができる。この実施例の整体器具Ａ2 の場合、第１実施例の整体器具Ａ1 と比較して、各整体球Ｂ3 どうしをより接近させたり、より離隔させたりすることができ、人体Ｍにおけるより多くの整体部位に当てがうことができる。なお、図１６において、最も接近させた状態（心間距離Ｌ2a）の各整体球Ｂ3 を二点鎖線で示すと共に、最も離隔させた状態（心間距離Ｌ2b）の各整体球Ｂ3 を一点鎖線で示す。
【実施例３】
【００３３】
次に、第３実施例の整体器具Ａ3 について説明する。本実施例の整体器具Ａ3 は、図１７に示されるように、平面視において略正方形状の保持板Ｄ3 に連続した略「コ」の字状にして保持溝Ｃ3 が設けられていて、該保持溝Ｃ3 に３個の可動リング体１７が嵌め込まれている。各可動リング体１７は、保持溝Ｃ3 の各コーナー部２７を超えて移動可能である。そして、保持溝Ｃ3 に嵌め込まれて部分収容された各整体球Ｂ3 は、対応する可動リング体１７によって移動可能に保持される。この実施例の整体器具Ａ3 の場合、３個の整体球Ｂ3 を保持溝Ｃ3 におけるいずれかの第１直線部２８（保持板Ｄ3 の前後方向に設けられた直線部）に接近配置させることにより、各整体球Ｂ3 を一直線状に配置できる。また、３個の整体球Ｂ3 を保持溝Ｃ3 におけるコーナー部２７に接近配置させることにより、各整体球Ｂ3 を最も小さな三角形状に配置できる。更に、２個の整体球Ｂ3 を保持溝Ｃ3 における各第１直線部２８の末端部２８ａに配置させると共に、１個の整体球Ｂ3 を第２直線部２９（保持板Ｄ3 の左右方向に設けられた直線部）のほぼ中央部に配置させることにより、各整体球Ｂ3 を最も大きな二等辺三角形状に配置したり（図１７に示される配置状態）、前記１個の整体球Ｂ3 を保持溝Ｃ3 におけるいずれかのコーナー部２７に配置させることにより、最も大きな直角三角形状に配置したりできる。即ち、単一の整体器具Ａ3 により、３個の整体球Ｂ3 を一直線状にも各種の三角形状にも配置でき、人体Ｍにおける殆どの整体部位に対応できる。
【実施例４】
【００３４】
次に、第４実施例の整体器具Ａ4 について説明する。本実施例の整体器具Ａ4 は、図１８に示されるように、平面視において正方形状の保持板Ｄ4 に連続した無端状の保持溝Ｃ4 が設けられていて、該保持溝Ｃ4 に４個の可動リング体１７が嵌め込まれている。即ち、第４実施例の整体器具Ａ4 は、第３実施例の整体器具Ａ3 の保持溝Ｃ3 の末端部を連結させて、整体球Ｂ3 を４個にした場合である。各整体球Ｂ3 は、対応する可動リング体１７に保持されて、保持溝Ｃ4 内を自在に移動できる。この実施例の整体器具Ａ4 の場合、各整体球Ｂ3 を平面視において方形状に配置できるため、人体Ｍにおける更に広い範囲の整体部位を整体できるという利点がある。
【実施例５】
【００３５】
次に、第５実施例の整体器具Ａ5 について説明する。本実施例の整体器具Ａ5 は、図１９に示されるように、平面視において正方形状の保持板Ｄ5 に十字状の保持溝Ｃ5 が設けられていて、該保持溝Ｃ5 に４個の可動リング体１７が嵌め込まれている。保持板Ｄ5 の中心部（交差位置）から、それぞれの保持溝Ｃ5 の末端部までの距離は同一である。各整体球Ｂ3 は、対応する可動リング体１７に保持されて、保持溝Ｃ5 内を自在に移動できる。この実施例の整体器具Ａ5 の場合、各整体球Ｂ3 によって形成される正方形状を相似形状で保持したまま大きくしたり、小さくしたりすることができる。
【実施例６】
【００３６】
更に、被治療者がより簡易に整体を行おうとする場合、図２０の（イ）〜（ハ）及び図２１の（イ）,(ロ）に示される整体器具Ａ6 〜Ａ10も考えられる。これらの実施例の整体器具Ａ6 〜Ａ10は、保持板Ｄ6 〜Ｄ10のほぼ中央部に、１ないし６個の保持孔３１を形成し、各保持孔３１に整体球Ｂ3 を固定配置させたものである。被治療者は、自身の整体部位に応じて、いずれかの整体器具Ａ6 〜Ａ10を選択できる。例えば、首筋のように狭い部位に対して整体を行う場合、第６又は第７実施例の整体器具Ａ6,Ａ7 が選択され、腰部や背中のように広い部位に対して整体を行う場合、第９又は第１０実施例の整体器具Ａ9,Ａ10が選択される。これらの実施例の整体器具Ａ6 〜Ａ10の場合、構成が簡単であると共に運搬も容易であるため、被治療者は自宅以外の場所であっても容易に整体を行うことができる。なお、上記した第７ないし第１０の各実施例の整体器具Ａ7 〜Ａ10において、各保持孔３１を連続させて溝状としても構わない。
【図面の簡単な説明】
【００３７】
【図１】各整体球Ｂ1,Ｂ2 を分離させた第１実施例の整体器具Ａ1 の全体斜視図である。
【図２】整体器具Ａ1 の平面図である。
【図３】図２のＸ−Ｘ線断面図である。
【図４】整体器具Ａ1 の分解斜視図である。
【図５】被治療者が、椅子１８の座部１９に設置させた整体器具Ａ1 に腰掛けることにより、骨盤Ｋのずれが矯正される状態の作用説明図である。
【図６】図５の状態の正面図である。
【図７】（イ）は、整体器具Ａ1 により人体Ｍの首の部分を押圧する状態の作用説明図、（ロ）は、同じく背中の部分を押圧する状態の作用説明図、（ハ）は、同じく腰部を押圧する状態の作用説明図である。
【図８】図７の（イ）〜（ハ）の状態を示す底面図である。
【図９】（イ）は、整体器具Ａ1 により人体Ｍの顔の部分を押圧する状態の作用説明図であり、（ロ）は（イ）のＹ矢視図である。
【図１０】（イ）は、整体器具Ａ1 により人体Ｍの腹部を押圧する状態の作用説明図であり、（ロ）は（イ）のＺ矢視図である。
【図１１】（イ）は、整体器具Ａ1 により人体Ｍの足の部分を押圧する状態の作用説明図、（ロ）は（イ）の平面図である。
【図１２】（イ）は、整体器具Ａ1 により人体Ｍの両足の部分を押圧する状態の作用説明図であり、（ロ）は整体球Ｂ2 を足の指でつまみ上げている状態の作用説明図である。
【図１３】（イ）は、整体器具Ａ1 を組み込んだ椅子１８の作用説明図であり、（ロ）は整体器具Ａ1 を組み込んだ枕２６の作用説明図である。
【図１４】５個の整体球Ｂ1,Ｂ2 を嵌め込んだ整体器具Ａ1 の平面図である。
【図１５】第１整体球Ｂ1 と第２整体球Ｂ2 の大きさを異ならせた実施例の整体器具Ａ1 の平面図である。
【図１６】第２実施例の整体器具Ａ2 の平面図である。
【図１７】第３実施例の整体器具Ａ3 の平面図である。
【図１８】第４実施例の整体器具Ａ4 の平面図である。
【図１９】第５実施例の整体器具Ａ5 の平面図である。
【図２０】（イ）〜（ハ）は、第６ないし第８実施例の整体器具Ａ6 〜Ａ8 の斜視図である。
【図２１】（イ）は、第９実施例の整体器具Ａ9 の斜視図であり、（ロ）は、第１０実施例の整体器具Ａ10の斜視図である。
【図２２】骨盤Ｋの正面図である。
【符号の説明】
【００３８】
Ａ1 〜Ａ10：整体器具
Ｂ1 〜Ｂ3 ：整体球
Ｃ1 〜Ｃ5 ：保持溝
Ｄ1 〜Ｄ10：保持板
Ｌ1,Ｌ2a，Ｌ2b：心間距離（間隔）
Ｍ：人体
１ａ：わん曲部分（整体部位）
５：尾骨（整体部位）
６：座骨（整体部位）
１４：保持孔（延長交差点近傍）
２３：逃し部（凹部）
２７：コーナー部
【図１】
0003106889.tif 000003
【図２】
0003106889.tif 000004
【図３】
0003106889.tif 000005
【図４】
0003106889.tif 000006
【図５】
0003106889.tif 000007
【図６】
0003106889.tif 000008
【図７】
0003106889.tif 000009
【図８】
0003106889.tif 000010
【図９】
0003106889.tif 000011
【図１０】
0003106889.tif 000012
【図１１】
0003106889.tif 000013
【図１２】
0003106889.tif 000014
【図１３】
0003106889.tif 000015
【図１４】
0003106889.tif 000016
【図１５】
0003106889.tif 000017
【図１６】
0003106889.tif 000018
【図１７】
0003106889.tif 000019
【図１８】
0003106889.tif 000020
【図１９】
0003106889.tif 000021
【図２０】
0003106889.tif 000022
【図２１】
0003106889.tif 000023
【図２２】
0003106889.tif 000024